(57)【要約】【課題】従来のフリーアクセスフロアの一部を床暖房付フリーアクセスフロアに簡単に変更可能とすると共に、該床暖房付フリーアクセスフロアの上を人が歩いたり、また、物を置いたりしても十分耐強度を備える床暖房付フリーアクセスフロアを提供することである。【解決手段】下方に向けて脚部を突設し、底面側に配線を通す空間を有する樹脂製支持台６にタイルカーペット７を敷設したフリーアクセスフロアにおいて、前記樹脂製支持台上に、断熱材２と、面状発熱体としてのＰＴＣ面状遠赤外線発熱体３と、絶縁シート４と、均熱板ともなる金属製保護ケーシング５とを順に重ねて暖房部材１を一体的に形成し、該暖房部材の上に前記タイルカーペット７を敷設して床を構成し、前記樹脂製支持台６と前記暖房部材１との合計の高さを、前記暖房部材を有していないフリーアクセスフロアの樹脂製支持台１０の高さに合わせた寸法とした。【選択図】    図１
2004239571.tif 000002
【特許請求の範囲】
【請求項１】
下方に向けて脚部を突設し、底面側に配線を通す空間を有する樹脂製支持台にタイルカーペットを敷設したフリーアクセスフロアにおいて、前記樹脂製支持台上に、断熱材と、面状発熱体と、絶縁シートと、均熱板ともなる金属製保護ケーシングとを順に重ねて暖房部材を一体的に形成し、該暖房部材の上に前記タイルカーペットを敷設して構成したことを特徴とする床暖房付フリーアクセスフロア。
【請求項２】
前記金属製保護ケーシングが金属板の四方を折り曲げて箱状に形成したものであって、このケーシング内に前記断熱材と面状発熱体と絶縁シートとが納められて一体的に暖房部材を構成していることを特徴とする請求項１に記載の床暖房付フリーアクセスフロア。
【請求項３】
前記樹脂製支持台と前記暖房部材との合計の高さを、前記暖房部材を有していないフリーアクセスフロアの樹脂製支持台の高さに合わせた寸法とし、同一のタイルカーペットを架け渡すように敷設可能に構成したことを特徴とする請求項１または２に記載の床暖房付フリーアクセスフロア。
【発明の詳細な説明】
【０００１】
【発明の属する技術分野】
本発明は、事務所等の床材として採用されているフリーアクセスフロアに係り、特に部分的に暖房したい場合に好適な床暖房付フリーアクセスフロアに関するものである。
【０００２】
【従来の技術】
最近では、事務所等においては、ＯＡ機器への配線を床下に通すため、また机やＯＡ機器の配置位置に応じた配線変更を簡単に行うことが可能なフリーアクセスフロアが一般的に床材として採用されている。
【０００３】
一般に、部屋内の空調にはエアコン等により集中的な空調が行われている。そのために、室内の全てが均一な室温になっていることはなく、場所によってかなりの温度差が生じている。特に冬季には、温調による暖気が床面に行き渡らず、また、夏季には、冷気が床面に滞るために、快適さが損なわれている。
【０００４】
また、最近ではパソコン等のＯＡ機器が増えてきており、室内の温度も人に最適な温度とすることより、高価なＯＡ機器に適当な温度に設定する場合もある。特にパソコン等は使用時間が長くなると発熱量が増加するために、室内温度を割りと低く設定する場合が多い。
【０００５】
そのために、室内を部分的に暖房する場合があり、特に人がいる床上を付近を部分的に暖房する要求がある。この例として、面発熱体を付設した配線用二重床が公開されている。（例えば、特許文献１参照）
【０００６】
【特許文献１】
特開平６−３４１６５５号公報（第１−３頁、第１図）
【０００７】
【発明が解決しようとする課題】
床上を部分的に暖房したい時には、ストーブ等の暖房機を設置すればよいが、床に余分な物を載置することになり、邪魔になったり美観を損ねる場合がある。
【０００８】
また、特許文献１に記載の配線用二重床は、人の足元を暖房することを主眼としており、該床の上に物が載置される場合等については考慮されておらず、強度が不十分であった。さらに、従来のフリーアクセスフロアの一部を床暖房付フリーアクセスフロアに簡単に変更する場合についても考慮されていない。
【０００９】
本発明の目的は、上記問題点を解消するために、従来のフリーアクセスフロアの一部を床暖房付フリーアクセスフロアに簡単に変更可能とすると共に、該床暖房付フリーアクセスフロアの上を人が歩いたり、また、物を置いたりしても十分耐強度を備える床暖房付フリーアクセスフロアを提供することである。
【００１０】
【課題を解決するための手段】
上記の目的を達成するために請求項１に係る発明は、下方に向けて脚部を突設し、底面側に配線を通す空間を有する樹脂製支持台にタイルカーペットを敷設したフリーアクセスフロアにおいて、前記樹脂製支持台上に、断熱材と、面状発熱体と、絶縁シートと、均熱板ともなる金属製保護ケーシングとを順に重ねて暖房部材を一体的に形成し、該暖房部材の上に前記タイルカーペットを敷設して構成したことを特徴としている。
【００１１】
上記の構成を有する請求項１に係る発明によれば、暖房したい部分の床を床暖房付フリーアクセスフロアとすることで、容易に、また見映え良くさらに均一に床暖房することができる。
【００１２】
請求項２に係る発明は、前記金属製保護ケーシングが金属板の四方を折り曲げて箱状に形成したものであって、このケーシング内に前記断熱材と、面状発熱体と、絶縁シートとが納められて一体的に暖房部材を構成していることを特徴としている。
【００１３】
上記の構成を有する請求項２に係る発明によれば、箱状の保護ケーシング内に暖房部材を組み込むので、設置する際の施工工事が容易となる。また、人が歩いたり、物を載置することができる、耐強度のある床暖房付フリーアクセスフロアとすることができる。
【００１４】
請求項３に係る発明は、前記樹脂製支持台と前記暖房部材との合計の高さを、前記暖房部材を有していないフリーアクセスフロアの樹脂製支持台の高さに合わせた寸法とし、同一のタイルカーペットを架け渡すように敷設可能に構成したことを特徴とする。
【００１５】
上記の構成を有する請求項３に係る発明によれば、従来のフリーアクセスフロアの一部にこの一体的に構成された暖房部材を組み込むことで、従来の床面と同一高さの床面を有する耐強度のある床暖房付フリーアクセスフロアとすることができる。
【００１６】
【発明の実施の形態】
以下、本発明に係る床暖房付フリーアクセスフロアの実施の形態について、図１から図４に基づいて説明する。
【００１７】
図１は本発明に係る床暖房付フリーアクセスフロアの断面図である。図２は面状発熱体の一例を示す平面図である。図３は従来のフリーアクセスフロアと本発明に係る床暖房付フリーアクセスフロアとを組み合わせた際の断面図である。図４は本発明に係る床暖房付フリーアクセスフロアが配設される事務所の一例を示す平面図である。
【００１８】
図１より本発明に係る床暖房付フリーアクセスフロアについて説明する。樹脂製支持台６の上に暖房部材１を載置して、その上にタイルカーペット７を敷設してフロアを形成する。
【００１９】
暖房部材１は、金属板の四方を折り曲げて箱状に形成した金属製保護ケーシング５内に、断熱材２と、面状発熱体として採用するＰＴＣ面状遠赤外線発熱体３と、絶縁シート４とが納められて一体的にユニット構成されたものである。
【００２０】
前記ＰＴＣ面状遠赤外線発熱体３は、温度が上昇すると電気抵抗が増大する所謂正熱特性（ＰＴＣと称する）を有する自己温度制御型の発熱体である。もちろん他の薄型電熱ヒーター発熱体でも使用可能であるが、通常の薄型電熱ヒーター発熱体では発熱温度を調整するために、フィードバック制御装置が必要であり高価となる。そのために、複雑な制御なしで、発熱温度を自己調整することが可能なＰＴＣ面状遠赤外線発熱体３を、本発明に係る面状発熱体として採用することが好適である。
【００２１】
また、金属製保護ケーシング５の折り曲げ部の一部を切欠いて、ＰＴＣ面状遠赤外線発熱体３の導線３Ａが挿通可能な構成となっている。前記導線３Ａは下方に垂下し、樹脂製支持台６の脚部６ａにより形成される下部空間内を配線されるよう構成されている。
【００２２】
断熱材２は、厚さが５〜２０ｍｍ程度の建材用プラスチック発泡材であって、一般的に床暖房用として使用されている市販の材料である。この断熱材２は暖房部材１の熱を床下には逃がさずに、床上を効率よく暖房する効果を有する。
【００２３】
ＰＴＣ面状遠赤外線発熱体３は図２に示すように、導通性の電極箔を左右から櫛型に配設して、図中の右側電極箔３ａと左側電極箔３ｂを有しており、その間に半導体インクからなる発熱材３ｃを密封した薄いフィルム状シートである。また、その両面はフィルムにより絶縁された構造となっている。
【００２４】
絶縁シート４は、合成ゴム又はプラスチック製の厚みが１ｍｍ程の電気絶縁性のシートであって、電気的安全性を完全にするために、前記ＰＴＣ面状遠赤外線発熱体３と金属製保護ケーシング５との間にはさみこんで使用する構成とした。
【００２５】
金属製保護ケーシング５は、暖房部材１が組み込まれた床暖房付フリーアクセスフロア上を人が歩いても、また、人が腰掛けたキャスター椅子が乗り上げても、さらにまた、物を置いたりしても、前記発熱体３が損傷しないように保護する部材であって、アルミ合金板あるいは鉄板製のケーシングである。
【００２６】
また、前記発熱体３の有効面積は前記発熱材３ｃが配設された部分であり、床暖房付フリーアクセスフロア全面積に対して小さいが、この金属製保護ケーシング５の伝熱効果により、暖房部材１の床面全面を均一な温度とすることができる。つまり、該金属製保護ケーシング５は、保護板であると共に均熱板でもある。そのために、該金属製保護ケーシング５の素材としては伝熱性のよいアルミ合金が好適である。
【００２７】
床暖房時に上記電極箔へ通電されると、櫛状の右側電極箔３ａと左側電極箔３ｂ間の発熱材３ｃが発熱するが、該発熱材３ｃは温度が上昇すると電気抵抗が増大する所謂正熱特性（ＰＴＣと称する）を有しており、温度の上昇と共に消費電力が減少し、所定温度以上には上昇しない自己温度制御型の特徴を有する。そのために、所定の設計温度以上に上昇することはなく、安全であると共に電気効率がよい。
【００２８】
前記暖房部材１の大きさは単独の樹脂製支持台６Ａと同じ大きさとしてもよいが、本実施例においては前記樹脂製支持台６Ａが一辺２５ｃｍ程度の大きさであるので、図に示すように、２個の樹脂製支持台６Ａと６Ｂとを合わせた幅と長さを備える大きさとし、計４個の小さな樹脂製支持台に同時に敷設する、一辺の長さが５０ｃｍ程度の方形の大きさとした。
【００２９】
つまり、本実施例においては５０ｃｍ角のフリーアクセスフロア毎に床暖房装置を敷設可能な構成としたものである。
【００３０】
もちろん樹脂製支持台６単独の大きさは図３に示す従来の樹脂製支持台１０と同じ大きさであり、ただ暖房部材１を装着して従来の樹脂製支持台１０と同じ高さとなるように、その高さを低くして成形したものである。
【００３１】
図３には従来のフリーアクセスフロアに床暖房付フリーアクセスフロアを組み込んだところを示しているが、図に示すように、樹脂製支持台６の高さＨ２と暖房部材１の高さＨ３との合計を、従来の樹脂製支持台１０の高さＨ１と同じ高さ寸法として、タイルカーペット７を共有して敷設可能な構成とした。そのために、タイルカーペット７を従来のフリーアクセスフロアと床暖房付フリーアクセスフロアとに架け渡すように敷設することが可能となり、床の一部を床暖房付フリーアクセスフロアと改装しても、床に少しの段差も生じず、違和感を感じることもない。
【００３２】
つまり、従来の樹脂製支持台１０を除去して本発明に係る樹脂製支持台６を設置することができる。そのために、任意の位置に床暖房付フリーアクセスフロアを設置可能な構成となる。
【００３３】
前記タイルカーペット７の大きさは、樹脂製支持台６や１０と同じ大きさでもよいし、また暖房部材１と同じ大きさでもよく、さらには、それ以上の大きさとして、複数の暖房部材１を覆う構成としてもよい。このように、特にその大きさを限定するものではなく、ＯＡ機器や机等のレイアウト変更に伴う配線変更作業時に、めくり易く作業し易い大きさと形状とすればよい。
【００３４】
暖房部材１への通電は、床基礎８にコネクタ３Ｂを配設して、ＰＴＣ面状遠赤外線発熱体３の導線３Ａを接続する構成であり、脚部６ａにより形成される空間部を利用して配線が行われていることは従来のフリーアクセスフロアと同じである。
【００３５】
図４に従来のフリーアクセスフロアに床暖房付フリーアクセスフロアが配設される事務所の一例を示しているが、人が位置する部分のみを床暖房付フリーアクセスフロアとしたところを示す平面図である。事務所２０の人が位置する床２１Ａ、２１Ｂ、２１Ｃ、２１Ｄをそれぞれ床暖房付フリーアクセスフロアとし、それぞれのＰＴＣ面状遠赤外線発熱体３をオン・オフする制御装置としてコントローラ９を配設した例である。
【００３６】
前記コントローラ９は複数のＰＴＣ面状遠赤外線発熱体３を通電するタイミングと時間をそれぞれ設定することができ、消費電力を低く押えるよう構成されている。
【００３７】
ＰＴＣ面状遠赤外線発熱体３は自己温度制御性能を備えており、発熱温度を自動的にコントロールしている。そのために、温度センサやサーモスタット等が不要となり余分な電装装置がないので、設置する施工工事が簡単になる。また、従来のニクロム線床暖房装置と比較して１／３程度のランニングコストとなることが知られている。
【００３８】
本発明に係る床暖房付フリーアクセスフロアは従来のフリーアクセスフロア部分と簡単に交換して設置することができるので、事務所内の机やＯＡ機器等の配置や大きさの変更等に対応して、その床暖房付フリーアクセスフロアのレイアウトを簡単に変更することができる。
【００３９】
要するに本発明に係る床暖房付フリーアクセスフロアは、薄型で省スペースで効率のよい暖房部材を一体的に構成可能としたので、安価に施工可能であると共に安全性に優れているという特徴がある。
【００４０】
【発明の効果】
上記したように本発明によれば、保護ケーシング内に断熱材と面状発熱体と絶縁シートとを一体的に納めて構成した暖房部材を組み込む床暖房付フリーアクセスフロアとすることで、設置する際の施工工事が容易となる。また見映え良くさらに均一に床暖房することができる。
【００４１】
また、人が歩いたり、人が腰掛けたキャスター椅子が乗り上げたり、さらには、床上に物を載置することができる、耐強度のある床暖房付フリーアクセスフロアとすることができる。
【００４２】
その上さらに、従来のフリーアクセスフロアの一部を簡単に床暖房付フリーアクセスフロアに変更することができ、ＯＡ機器や机配置等が頻繁に変更されるＯＡフロアに最適な、同一高さの床面を有する耐強度のある暖房付床とすることができる。
【図面の簡単な説明】
【図１】本発明に係る床暖房付フリーアクセスフロアの断面図である。
【図２】面状発熱体の一例を示す平面図である。
【図３】従来のフリーアクセスフロアと本発明に係る床暖房付フリーアクセスフロアとを組み合わせた際の断面図である。
【図４】本発明に係る床暖房付フリーアクセスフロアが配設される事務所の一例を示す平面図である。
【符号の説明】
１  暖房部材
２  断熱材
３  ＰＴＣ面状遠赤外線発熱体（面状発熱体）
４  絶縁シート
５  金属製保護ケーシング
６  樹脂製支持台
６ａ  脚部
７  タイルカーペット
１０  樹脂製支持台（従来の）
Ｈ１  従来の樹脂製支持台の高さ
Ｈ２  樹脂製支持台の高さ
Ｈ３  暖房部材の高さ
【図１】
2004239571.tif 000003
【図２】
2004239571.tif 000004
【図３】
2004239571.tif 000005
【図４】
2004239571.tif 000006